(57)【要約】【課題】配線数を減らすことによる歩留まり向上と開口率向上を実現する有機ＥＬ表示装置を得る。【解決手段】データ線１２とゲート線１１とを交差させて定義される画素ごとに設けられた有機ＥＬ素子２４と、有機ＥＬ素子２４と１対１に設けられ、有機ＥＬ素子２４を駆動する駆動用トランジスタ２２と、データ線を通じたデータ信号を選択、保持し、駆動用トランジスタ２４を駆動する選択用トランジスタ２１とを含み、２段トランジスタ構造を備えた有機ＥＬ表示装置において、選択用トランジスタ２１は、１個の選択用トランジスタ２１で複数個の駆動用トランジスタ２２ａ〜２２ｃを並列駆動するように構成される。【選択図】図１
2008158238.tif 000002
【特許請求の範囲】
【請求項１】
データ線とゲート線とを交差させて定義される画素ごとに設けられた有機ＥＬ素子と、
前記有機ＥＬ素子と１対１に設けられ、前記有機ＥＬ素子を駆動する駆動用トランジスタと、
前記データ線を通じたデータ信号を選択、保持し、前記駆動用トランジスタを駆動する選択用トランジスタと
を含み、２段トランジスタ構造を備えた有機ＥＬ表示装置において、
前記選択用トランジスタは、１個の選択用トランジスタで複数個の駆動用トランジスタを並列駆動するように構成されたことを特徴とする有機ＥＬ表示装置。
【請求項２】
請求項１に記載の有機ＥＬ表示装置において、
前記１個の選択用トランジスタで駆動される前記複数個の駆動用トランジスタのそれぞれは、順次切り替わる個別の電源線を介して電源が供給され、対応する有機ＥＬ素子を時分割駆動することを特徴とする有機ＥＬ表示装置。
【請求項３】
請求項１または２に記載の有機ＥＬ表示装置において、
前記１個の選択用トランジスタで駆動される前記複数個の駆動用トランジスタは、積層構造を有することを特徴とする有機ＥＬ表示装置。
【発明の詳細な説明】
【技術分野】
【０００１】
本発明は、有機ＥＬ表示装置に関し、特に、歩留まり向上と開口率向上を実現する有機ＥＬ表示装置に関する。
【背景技術】
【０００２】
図４は、従来の有機ＥＬ表示装置の典型的な回路構成図である。図４（ａ）は、ある１つの画素における回路構成を示している。また、図４（ｂ）は、赤、緑、青の３画素が順番に並んだ複数の画素における回路構成を示している。
【０００３】
この有機ＥＬ表示装置は、ゲート線１１、データ線１２、電源線１３、陰極線１４、第１のＴＦＴ２１、第２のＴＦＴ２２、蓄積容量２３、およびＯＬＥＤ（Ｏｒｇａｎｉｃ  Ｌｉｇｈｔ  Ｅｍｉｔｔｉｎｇ  Ｄｉｓｐｌａｙ）素子２４で構成されている。
【０００４】
ここで、１段目を構成する第１のＴＦＴ２１は、データ線１２を通じたデータ信号を選択、保持するためのものである。また、２段目を構成する第２のＴＦＴ２２は、ＯＬＥＤ素子２４を駆動するためのものである。なお、このような基本的な２段ＴＦＴの構成に対して、駆動用の第２のＴＦＴ２２のＶｔｈ変動を補償するために、さらに、ＴＦＴが追加された回路も発明されている。
【０００５】
このような有機ＥＬ表示装置は、ゲート線１１とデータ線１２を交差させたアクティブマトリクス型表示装置の一種であり、第１のＴＦＴ２１および第２のＴＦＴ２２を、ＯＬＥＤ素子２４に対応して画素ごとにそれぞれ設けている（例えば、特許文献１参照）。
【０００６】
【特許文献１】国際公開Ｗ２００４／０４９２８６号パンフレット
【発明の開示】
【発明が解決しようとする課題】
【０００７】
しかしながら、従来技術には次のような課題がある。
従来の有機ＥＬ表示装置では、図４に示したように、第１のＴＦＴ２１および第２のＴＦＴ２２を、ＯＬＥＤ素子２４に対応して画素ごとにそれぞれ設けている。この結果、配線数が多くなるため、欠陥による断線等によるパネル歩留まり低下の一因となっていた。さらに、配線数が多いことに伴って、開口率も減るというデメリットもあった。
【０００８】
本発明は上述のような課題を解決するためになされたもので、配線数を減らすことによる歩留まり向上と開口率向上を実現する有機ＥＬ表示装置を得ることを目的とする。
【課題を解決するための手段】
【０００９】
本発明に係る有機ＥＬ表示装置は、データ線とゲート線とを交差させて定義される画素ごとに設けられた有機ＥＬ素子と、有機ＥＬ素子と１対１に設けられ、有機ＥＬ素子を駆動する駆動用トランジスタと、データ線を通じたデータ信号を選択、保持し、駆動用トランジスタを駆動する選択用トランジスタとを含み、２段トランジスタ構造を備えた有機ＥＬ表示装置において、選択用トランジスタは、１個の選択用トランジスタで複数個の駆動用トランジスタを並列駆動するように構成されたものである。
【発明の効果】
【００１０】
本発明によれば、複数の画素に対する選択用トランジスタおよび蓄積容量を兼用化することにより、配線数を減らすことによる歩留まり向上と開口率向上を実現する有機ＥＬ表示装置を得ることができる。
【発明を実施するための最良の形態】
【００１１】
以下、本発明の有機ＥＬ表示装置の好適な実施の形態につき図面を用いて説明する。
【００１２】
実施の形態１．
図１は、本発明の実施の形態１における有機ＥＬ表示装置の回路構成図である。この有機ＥＬ表示装置は、ゲート線１１、データ線１２、電源線１３ａ〜１３ｃ、第１のＴＦＴ２１、第２のＴＦＴ２２ａ〜２２ｃ、蓄積容量２３、およびＯＬＥＤ素子２４ａ〜２４ｃで構成されている。この図１の構成は、赤、緑、青の３画素分をまとめて示しており、各画素に個別の構成要素は、添字としてａ、ｂ、ｃをそれぞれ付している。
【００１３】
この図１に示すように、本実施の形態１における有機ＥＬ表示装置は、駆動用トランジスタである第２のＴＦＴ２２ａ〜２２ｃ、ＯＬＥＤ素子２４ａ〜２４ｃ、および電源線１３ａ〜１３ｃをそれぞれ３つずつ用いており、赤、緑、青の３画素に対応して個別化している。これに対して、選択用トランジスタである第１のＴＦＴ２１および蓄積容量２３は、３個ずつではなく、１つずつ用いられており、赤、緑、青の３画素に対して兼用している点を特徴としている。
【００１４】
より具体的には、１つの第１のＴＦＴ２１により赤、緑、青の３画素を一括して選択するとともに、各画素に対応して個別に設けられた第２のＴＦＴ２２ａ〜２２ｃおよび電源線１３ａ〜１３ｃを用いて、赤用の電源、緑用の電源、青用の電源を交互に切り替えることにより、個別のＯＬＥＤ素子２４ａ〜２４ｃを時分割駆動している。
【００１５】
このような時分割駆動により、３画素に対して、１本のデータ線１２、１個の第１のＴＦＴ２１、１個の蓄積容量２３を兼用して用いることができ、部品点数および配線数の削減を図ることができる。その結果、歩留まりが向上し、開口率の確保も可能な有機ＥＬ表示装置を実現できる。
【００１６】
以上のように、実施の形態１によれば、１個の選択用トランジスタと複数個の駆動用トランジスタを組み合わせて複数の画素を時分割駆動することにより、部品点数および配線数を減らすことができる。この結果、歩留まり向上と開口率向上を実現する有機ＥＬ表示装置を得ることができる。
【００１７】
なお、本実施の形態１においては、電源線を赤、緑、青の各画素ごとに個別に設ける場合について説明したが、本発明は、これに限定されるものではない。例えば、電源ラインを３画素おきにパネル周辺部でまとめて、最終的に赤用の電源、緑用の電源、青用の電源の３種類の電源を交互に切り替えることによっても、同様の効果を得ることができる。
【００１８】
また、時分割駆動に対応する画素は、上述の実施の形態１で例示した３画素ごとに限定されるものではなく、２以上の複数の画素ごとに適用する構成をとることも可能であり、同様の効果を得ることができる。
【００１９】
また、この取り出す電源線は、陰極線に置き換えても等価である。また、図１の有機ＥＬ表示装置の回路構成図におけるＯＬＥＤ素子２４の接続は、一例を示したものであり、他の接続方法とすることも可能である。図２は、本発明における有機ＥＬ表示装置の別の回路構成図である。例えば、図２のようにＯＬＥＤ素子２４を接続しても、図１の構成に基づいて説明した実施の形態１の効果と同様の効果を得ることができる。
【００２０】
また、上述の実施の形態１においては、個別のＯＬＥＤ素子２４ａ〜２４ｃを時分割駆動する場合について説明したが、本発明の有機ＥＬ表示装置は、これに限定されるものではない。３個のＯＬＥＤ素子２４ａ〜２４ｃを同一レベルの電圧で同時に駆動することにより、実施の形態１と同様の効果を得た上で、グレイレベルのモノクロ表示が可能となる。
【００２１】
さらに、上述の実施の形態１においては、図１、２に示すように、ＲＧＢ３画素を同一平面上に隣接して配置する場合を示したが、本発明の有機ＥＬ表示装置は、これに限定されるものではない。それぞれの画素を積層構造化することも可能である。図３は、本発明における有機ＥＬ表示装置のさらに別の回路構成図である。例えば、図３のようにそれぞれの画素を積層構造化した場合にも、図１の構成に基づいて説明した実施の形態１の効果と同様の効果を得ることができる。
【図面の簡単な説明】
【００２２】
【図１】本発明の実施の形態１における有機ＥＬ表示装置の回路構成図である。
【図２】本発明における有機ＥＬ表示装置の別の回路構成図である。
【図３】本発明における有機ＥＬ表示装置のさらに別の回路構成図である。
【図４】従来の有機ＥＬ表示装置の典型的な回路構成図である。
【符号の説明】
【００２３】
１１  ゲート線、１１ａ  １本前のゲート線、１２  データ線、１２ａ  右隣のデータ線、１３  電源線、１４  陰極線、２１  第１のＴＦＴ（選択用トランジスタ）、２２、２２ａ、２２ｂ、２２ｃ  第２のＴＦＴ（駆動用トランジスタ）、２３  蓄積容量、２４、２４ａ、２４ｂ、２４ｃ  ＯＬＥＤ素子。
【図１】
2008158238.tif 000003
【図２】
2008158238.tif 000004
【図３】
2008158238.tif 000005
【図４】
2008158238.tif 000006